(57)【要約】【課題】設置場所や設置環境等に関わらずに伝送エラーの発生を抑制可能とする。【解決手段】音声信号の送信に先立って送信元の端末装置Ａから送信先の端末装置Ｂに対して試験信号が送信され、送信先の端末装置Ｂで試験信号の伝送エラーの発生数を伝送エラーカウント手段たる制御部２５でカウントする。さらにカウントされた伝送エラーの発生数と予め用意されている符号化方式、変調方式、タイムスロットの割り当てとの対応表に基づいて伝送エラーの発生数を減少させる最適な条件を選択し、選択した条件を呼出元の端末装置Ａに通知する。呼出元の端末装置Ａの制御部２５は、端末装置Ｂから通知される条件に従って符号化方式、変調方式、タイムスロットの割り当ての少なくとも何れか一つを変更する。故に、設置場所や設置環境等に関わらずに伝送エラーの発生が抑制できる。【選択図】図１
2007174579.tif 000002
【特許請求の範囲】
【請求項１】
少なくとも音声を入力する音声入力手段を具備した１乃至複数の音声入力端末装置と、少なくとも音声を出力する音声出力手段を具備した１乃至複数の音声出力端末装置とを備え、音声入力端末装置から音声出力端末装置へ信号線を介して音声信号を伝送する音声伝送システムであって、
音声入力端末装置は、前記音声入力手段と、音声入力手段より入力された音声を符号化する符号化手段と、符号化された音声データを変調する変調手段と、同期信号で規定される複数のタイムスロットの中から自己に割り当てられたタイムスロットに前記変調された音声データを含む音声信号を格納し信号線を介して送信する送信手段とを具備し、
音声出力端末装置は、信号線を介して伝送される音声信号を受信する受信手段と、受信手段で受信する音声信号を復調する復調手段と、復調された音声データを復号化する復号化手段と、復号化された音声を出力する前記音声出力手段とを具備し、
音声信号の送信に先立って音声出力端末装置に対して送信手段より試験信号を送信させる試験信号生成手段が音声入力端末装置に具備され、
信号線を介して受信手段で受信する試験信号の伝送エラーの発生数をカウントする伝送エラーカウント手段と、伝送エラーカウント手段でカウントされた伝送エラーの発生数と予め用意されている符号化方式、変調方式、タイムスロットの割り当てとの対応表に基づいて伝送エラーの発生数を減少させる最適な条件を選択するとともに選択した条件を送信元の音声入力端末装置に通知する通知手段とが音声出力端末装置に具備され、
音声入力端末装置の符号化手段、変調手段、送信手段、送信手段は、音声出力端末装置から通知される条件に従って符号化方式、変調方式、タイムスロットの割り当ての少なくとも何れか一つを変更することを特徴とする音声伝送システム。
【請求項２】
少なくとも音声を入力する音声入力手段を具備した１乃至複数の音声入力端末装置と、少なくとも音声を出力する音声出力手段を具備した１乃至複数の音声出力端末装置と、音声入力端末装置並びに音声出力端末装置と信号線で接続され音声入力端末装置と音声出力端末装置との間の呼制御を行うとともに同期信号を送信する主装置とを備え、音声入力端末装置から音声出力端末装置へ信号線を介して音声信号を伝送する音声伝送システムであって、
音声入力端末装置は、前記音声入力手段と、音声入力手段より入力された音声を符号化する符号化手段と、符号化された音声データを変調する変調手段と、同期信号で規定される複数のタイムスロットの中から自己に割り当てられたタイムスロットに前記変調された音声データを含む音声信号を格納し信号線を介して送信する送信手段と、信号線を介し呼制御用の制御信号を音声信号と周波数分割多重化して送受信する制御信号送受信手段と、信号線に試験信号を送信する試験信号送信手段とを具備し、
音声出力端末装置は、信号線を介して伝送される音声信号を受信する受信手段と、受信手段で受信する音声信号を復調する復調手段と、復調された音声データを復号化する復号化手段と、復号化された音声を出力する前記音声出力手段と、信号線を介し呼制御用の制御信号を音声信号と周波数分割多重化して送受信する制御信号送受信手段と、信号線に試験信号を送信する試験信号送信手段とを具備し、
主装置は、同期信号を信号線を介して各端末装置に送信する同期信号送信手段と、信号線を介して呼制御用の制御信号を送受信する制御信号送受信手段と、何れかの音声入力端末装置から呼確立要求の制御信号を受け取ったときに要求先の音声出力端末装置に対して呼確立要求の制御信号を送信するとともに要求元の音声入力端末装置並びに要求先の音声出力端末装置に対してタイムスロットの割り当てを通知する呼制御手段と、信号線に試験信号を送信する試験信号送信手段とを具備し、
信号線を介して受信する試験信号の伝送エラーの発生数をカウントする伝送エラーカウント手段と、伝送エラーカウント手段でカウントされた伝送エラーの発生数と予め用意されている符号化方式、変調方式、タイムスロットの割り当てとの対応表に基づいて伝送エラーの発生数を減少させる最適な条件を選択するとともに選択した条件を送信元の端末装置若しくは主装置に通知する通知手段とが音声入力端末装置並びに音声出力端末装置、主装置にそれぞれ具備され、
音声入力端末装置の符号化手段、変調手段、送信手段、送信手段は、音声出力端末装置又は主装置から通知される条件に従って符号化方式、変調方式、タイムスロットの割り当ての少なくとも何れか一つを変更するとともに、複数の音声出力端末装置に音声信号を送信する場合は最も伝送エラーの発生数が多かった音声出力端末装置から通知される条件に従って変更することを特徴とする音声伝送システム。
【発明の詳細な説明】
【技術分野】
【０００１】
本発明は、信号線を介して音声信号を伝送する音声伝送システムに関するものである。
【背景技術】
【０００２】
従来、信号線を介して音声信号を伝送する音声伝送システムとしては、例えば、住戸の玄関に設置されたドアホン子器と、住戸内に設置された親機との間で信号線を介して音声信号を送受信するインターホンシステムがある（例えば、特許文献１参照）。かかる従来システムにおいては、音声を符号化した音声データをディジタル変調方式で変調して伝送している。
【特許文献１】特開平１１−４２９８号公報
【発明の開示】
【発明が解決しようとする課題】
【０００３】
ところで、一般にデータ伝送においては、伝送路（信号線）の伝送損失や外来ノイズ等の影響で伝送エラーの発生することがあり、また、伝送エラーの発生率は符号化方式や変調方式等の条件によって異なる場合がある。したがって、符号化方式や変調方式等がシステムの設置場所や設置環境あるいはシステム構成等の条件に合わない場合、伝送エラーの発生率が実使用上で無視できない程度に大きくなってしまう虞があった。
【０００４】
本発明は上記事情に鑑みて為されたものであり、その目的は、設置場所や設置環境等に関わらずに伝送エラーの発生が抑制できる音声伝送システムを提供することにある。
【課題を解決するための手段】
【０００５】
請求項１の発明は、上記目的を達成するために、少なくとも音声を入力する音声入力手段を具備した１乃至複数の音声入力端末装置と、少なくとも音声を出力する音声出力手段を具備した１乃至複数の音声出力端末装置とを備え、音声入力端末装置から音声出力端末装置へ信号線を介して音声信号を伝送する音声伝送システムであって、音声入力端末装置は、前記音声入力手段と、音声入力手段より入力された音声を符号化する符号化手段と、符号化された音声データを変調する変調手段と、同期信号で規定される複数のタイムスロットの中から自己に割り当てられたタイムスロットに前記変調された音声データを含む音声信号を格納し信号線を介して送信する送信手段とを具備し、音声出力端末装置は、信号線を介して伝送される音声信号を受信する受信手段と、受信手段で受信する音声信号を復調する復調手段と、復調された音声データを復号化する復号化手段と、復号化された音声を出力する前記音声出力手段とを具備し、音声信号の送信に先立って音声出力端末装置に対して送信手段より試験信号を送信させる試験信号生成手段が音声入力端末装置に具備され、信号線を介して受信手段で受信する試験信号の伝送エラーの発生数をカウントする伝送エラーカウント手段と、伝送エラーカウント手段でカウントされた伝送エラーの発生数と予め用意されている符号化方式、変調方式、タイムスロットの割り当てとの対応表に基づいて伝送エラーの発生数を減少させる最適な条件を選択するとともに選択した条件を送信元の音声入力端末装置に通知する通知手段とが音声出力端末装置に具備され、音声入力端末装置の符号化手段、変調手段、送信手段、送信手段は、音声出力端末装置から通知される条件に従って符号化方式、変調方式、タイムスロットの割り当ての少なくとも何れか一つを変更することを特徴とする。
【０００６】
請求項２の発明は、上記目的を達成するために、少なくとも音声を入力する音声入力手段を具備した１乃至複数の音声入力端末装置と、少なくとも音声を出力する音声出力手段を具備した１乃至複数の音声出力端末装置と、音声入力端末装置並びに音声出力端末装置と信号線で接続され音声入力端末装置と音声出力端末装置との間の呼制御を行うとともに同期信号を送信する主装置とを備え、音声入力端末装置から音声出力端末装置へ信号線を介して音声信号を伝送する音声伝送システムであって、音声入力端末装置は、前記音声入力手段と、音声入力手段より入力された音声を符号化する符号化手段と、符号化された音声データを変調する変調手段と、同期信号で規定される複数のタイムスロットの中から自己に割り当てられたタイムスロットに前記変調された音声データを含む音声信号を格納し信号線を介して送信する送信手段と、信号線を介し呼制御用の制御信号を音声信号と周波数分割多重化して送受信する制御信号送受信手段と、信号線に試験信号を送信する試験信号送信手段とを具備し、音声出力端末装置は、信号線を介して伝送される音声信号を受信する受信手段と、受信手段で受信する音声信号を復調する復調手段と、復調された音声データを復号化する復号化手段と、復号化された音声を出力する前記音声出力手段と、信号線を介し呼制御用の制御信号を音声信号と周波数分割多重化して送受信する制御信号送受信手段と、信号線に試験信号を送信する試験信号送信手段とを具備し、主装置は、同期信号を信号線を介して各端末装置に送信する同期信号送信手段と、信号線を介して呼制御用の制御信号を送受信する制御信号送受信手段と、何れかの音声入力端末装置から呼確立要求の制御信号を受け取ったときに要求先の音声出力端末装置に対して呼確立要求の制御信号を送信するとともに要求元の音声入力端末装置並びに要求先の音声出力端末装置に対してタイムスロットの割り当てを通知する呼制御手段と、信号線に試験信号を送信する試験信号送信手段とを具備し、信号線を介して受信する試験信号の伝送エラーの発生数をカウントする伝送エラーカウント手段と、伝送エラーカウント手段でカウントされた伝送エラーの発生数と予め用意されている符号化方式、変調方式、タイムスロットの割り当てとの対応表に基づいて伝送エラーの発生数を減少させる最適な条件を選択するとともに選択した条件を送信元の端末装置若しくは主装置に通知する通知手段とが音声入力端末装置並びに音声出力端末装置、主装置にそれぞれ具備され、音声入力端末装置の符号化手段、変調手段、送信手段、送信手段は、音声出力端末装置又は主装置から通知される条件に従って符号化方式、変調方式、タイムスロットの割り当ての少なくとも何れか一つを変更するとともに、複数の音声出力端末装置に音声信号を送信する場合は最も伝送エラーの発生数が多かった音声出力端末装置から通知される条件に従って変更することを特徴とする。
【発明の効果】
【０００７】
請求項１の発明によれば、音声信号の送信に先立って音声入力端末装置から音声出力端末装置に対して試験信号が送信され、音声出力端末装置で試験信号の伝送エラーの発生数を伝送エラーカウント手段でカウントするとともにカウントされた伝送エラーの発生数と予め用意されている符号化方式、変調方式、タイムスロットの割り当てとの対応表に基づいて伝送エラーの発生数を減少させる最適な条件を選択するとともに選択した条件を送信元の音声入力端末装置に通知手段によって通知し、音声入力端末装置の符号化手段、変調手段、送信手段が、音声出力端末装置から通知される条件に従って符号化方式、変調方式、タイムスロットの割り当ての少なくとも何れか一つを変更するので、設置場所や設置環境等に関わらずに伝送エラーの発生が抑制できる。
【０００８】
請求項２の発明によれば、音声入力端末装置と音声出力端末装置と主装置との間で試験信号を相互に送受信し、各装置において試験信号の伝送エラーの発生数を伝送エラーカウント手段でカウントするとともにカウントされた伝送エラーの発生数と予め用意されている符号化方式、変調方式、タイムスロットの割り当てとの対応表に基づいて伝送エラーの発生数を減少させる最適な条件を選択するとともに選択した条件を送信元の端末装置又は主装置に通知手段によって通知し、音声入力端末装置の符号化手段、変調手段、送信手段、送信手段が、通知される条件に従って符号化方式、変調方式、タイムスロットの割り当ての少なくとも何れか一つを変更するので、設置場所や設置環境等に関わらずに伝送エラーの発生が抑制できる。また、複数の音声出力端末装置に音声信号を送信する場合は最も伝送エラーの発生数が多かった音声出力端末装置から通知される条件に従って変更するので、複数の音声出力端末装置に音声信号を伝送する場合においても伝送エラーの発生が確実に抑制できる。
【発明を実施するための最良の形態】
【０００９】
（実施形態１）
本実施形態の音声伝送システムは、図１に示すように信号線Ｌｓを介して音声信号を送受信する複数台の端末装置２と、端末装置２と信号線Ｌｓで接続され、各端末装置２間の呼制御を行うとともに後述するタイムスロットＴＳｉ（ｉ＝１，２，…，ｎ）を規定するための同期信号ＳＹを送信する主装置１とを備えている。ここで、信号線Ｌｓにはペア線などの平衡線路を用いているが、同軸線のような不平衡線路であっても構わない。また、エンハンストカテゴリー５あるいはカテゴリー６のＬＡＮケーブルの１ペアやＣＰＥＶケーブルの１ペアを信号線Ｌｓに利用しても構わない。
【００１０】
端末装置２は、図１に示すようにマイクロホン２０ａ及びスピーカ２１ａと、マイクロホン２０ａの出力を増幅するマイクロホンアンプ２０ｂと、スピーカ２１ａへの入力を増幅するスピーカアンプ２１ｂと、マイクロホンアンプ２０ｂの出力をディジタル信号に変換するＡ／Ｄ変換器２０ｃと、通話制御部２２から出力されるディジタル信号をアナログ信号に変換してスピーカアンプ２１ｂに入力するＤ／Ａ変換器２１ｃと、ディジタル信号に変換された音声の符号化及び復号化を行う符号化／復号化部２２と、符号化／復号化御部２２で符号化された音声データを変調して音声信号を生成し且つ信号線Ｌｓから取り込まれた音声信号から音声データを復調する変復調部２３と、変復調部２３から出力される音声信号を増幅する送信アンプ２４ａと、変復調部２３に入力する音声信号を増幅する受信アンプ２４ｂと、ＣＰＵを主構成要素とし各部を制御する制御部２５と、主装置１との間で信号線Ｌｓを介して制御信号を送受信する制御信号送受信部２６と、送信アンプ２４ａから出力される音声信号と制御信号送受信部２６から出力される制御信号を周波数分割多重化して信号線Ｌｓに送出するとともに信号線Ｌｓから取り込まれる音声信号と制御信号を分離して音声信号を受信アンプ２４ｂに出力し且つ制御信号を制御信号送受信部２６に出力する分離多重部２７とを具備する。すなわち、本実施形態における端末装置２は、音声を入力する音声入力手段（マイクロホン２０ａ）と音声を出力する音声出力手段（スピーカ２１ａ）を双方とも具備しているので、音声入力端末装置であると同時に音声出力端末装置でもある。但し、端末装置２の構成はこれに限定されるものではなく、音声入力手段を有し且つ音声出力手段を有しない音声入力端末装置、あるいは音声出力手段を有し且つ音声入力手段を有しない音声出力端末装置として構成されたものであっても構わない。なお、各端末装置２には固有の識別符号（ＩＤ）が付与されており、この識別符号によって各端末装置２が識別可能となっている。
【００１１】
主装置１は、ＣＰＵを主構成要素とする制御部１０と、端末装置２との間で制御信号を送受信する制御信号送受信部１１と、制御部１０から与えられる同期データ（後述する）を変調して同期信号ＳＹを生成する変調部１２と、変調部１２で変調された同期信号ＳＹと制御信号送受信部１１から出力する制御信号を周波数分割多重化して信号線Ｌｓに送出するとともに信号線Ｌｓから取り込まれる制御信号を分離して制御信号送受信部１１に出力する分離多重部１３とを具備する。
【００１２】
同期信号ＳＹは、図２（ａ）に示すようにヘッダ部とデータ部で構成される。ヘッダ部は、プリアンブル、パケット種別、変調方式、データ長、誤り訂正符号で構成される。一方、データ部は、同期データ（実際は空）及び誤り訂正符号で構成される。また、図２（ｂ）に示すように音声信号もヘッダ部とデータ部で構成される。ヘッダ部は、プリアンブル、送信元の端末装置２を示す識別符号（ＩＤ）、パケット種別、変調方式、データ長、誤り訂正符号で構成される。一方、データ部は、音声データと誤り訂正符号とで構成される。ここで、同期信号ＳＹはヘッダ部並びにデータ部ともＢＰＳＫ（Binary Phase Shift Keying）等の変調方式で変調される。一方、音声信号は数通りの符号化方式（例えば、マンチェスタ符号化と差動マンチェスタ符号化）並びに数通りの変調方式（例えば、ＢＰＳＫ、ＱＰＳＫ＜Quadrature Phase Shift Keying＞、１６ＱＡＭ＜Quadrature Amplitude Modulation＞、６４ＱＡＭなど）の中から符号化／復号化部２２並びに変復調部２３でそれぞれ選択可能となっている。
【００１３】
主装置１並びに端末装置２においては、図３に示すように同期信号ＳＹの立ち下がりから所定時間が経過した時点を先頭のタイムスロットＴＳ１の開始時点とし、次の同期信号ＳＹが立ち上がるまでの期間（信号送信期間）内に複数（ｎ個）のタイムスロットＴＳ１，ＴＳ２，…，ＴＳｎを配置している。ここで、本実施形態では信号送信期間内にｎ個のタイムスロットＴＳｉを配置しているから、最大ｎ／２台の端末装置２が１対１で音声信号を送受信できる。
【００１４】
次に、図４を参照して２台の端末装置２間で一対一の通話（個別通話）を行う場合における本実施形態の動作を説明する。なお、以下では端末装置Ａと端末装置Ｂの２台が個別通話を行う場合を例示する。
【００１５】
まず、端末装置Ａにおいて呼出釦（図示せず）が操作されると制御部２５が相手の端末装置Ｂを呼び出すための呼出（呼確立）要求を生成して制御信号送信部２６に与え、制御信号送信部２６が呼出要求と自己の識別符号並びに相手の識別符号を制御信号により多重分離部２７を介して信号線Ｌｓに送出する。
【００１６】
一方、主装置１では、信号線Ｌｓを介して伝送される制御信号を制御信号送受信部１１で受信し、受信した制御信号に含まれる呼出要求、呼出元（要求元）の識別符号、呼出先（要求先）の識別符号を制御部１０に渡す。制御部１０は呼出先の識別符号を宛先として呼出要求を含む制御信号を制御信号送受信部１１により送信させる。
【００１７】
呼出先の端末装置Ｂの制御信号送受信部２６が主装置１から送信された制御信号を受信し、受信した制御信号に含まれる呼出要求を制御部２５に渡すと、制御部２５はスピーカ２１ａより報知音（呼出音）を鳴動させる。そして、端末装置Ｂにおいて応答釦（図示せず）が操作されると、制御部２５では、呼出元の端末装置Ａと個別通話することを了解した旨の肯定応答を生成して制御信号送信部２６に与え、制御信号送信部２６が肯定応答と自己の識別符号を制御信号により多重分離部２７を介して信号線Ｌｓに送出する。
【００１８】
主装置１においては、信号線Ｌｓを介して伝送される制御信号を制御信号送受信部１１で受信し、受信した制御信号に含まれる肯定応答、呼出先（要求先）の識別符号を制御部１０に渡し、制御部１０は呼出元の識別符号を宛先として呼確立通知を含む制御信号を制御信号送受信部１１により送信させる。
【００１９】
呼確立通知を含む制御信号を受け取った呼出元の端末装置Ａにおいては、制御部２５が試験用の信号を符号化／復号化部２２に与えて符号化させるとともに変復調部２３で変調させて試験信号を生成し、当該試験信号を送信アンプ２４ａ並びに分離多重部２７を通じて呼出先の端末装置Ｂに向けて送信させる。
【００２０】
一方、呼出先の端末装置Ｂでは、制御部２５において試験信号の伝送エラーの発生数をカウントするとともにカウントされた伝送エラーの発生数と予めメモリ（図示せず）に記憶されている符号化方式、変調方式、タイムスロットの割り当てと伝送エラーの発生数との対応表に基づいて伝送エラーの発生数を減少させる最適な条件を選択し、選択した条件（最適条件）を通知するための制御信号を生成して制御信号送受信部２６より呼出元の端末装置Ａに対して送信させる。
【００２１】
呼出元の端末装置Ａでは、制御部２５が呼出先の端末装置Ｂから通知された最適条件に応じて符号化／復号化部２２の符号化方式並びに変復調部２３の変調方式を適宜変更し、さらにタイムスロットＴＳｉの割り当てに対する最適条件を通知するための制御信号を生成して制御信号送受信部２６より主装置１に対して送信させる。
【００２２】
主装置１では、制御部１０が呼出元の端末装置Ａから通知されたタイムスロットＴＳｉの割り当てに対する最適条件に応じて各端末装置Ａ，ＢのタイムスロットＴＳｉの割り当てを決定し、決定したタイムスロットＴＳｉの割り当てを通知するための制御信号を制御信号送受信部１１より送信させた後、変調部１２から同期信号ＳＹを出力させて信号線Ｌｓに送出させる。
【００２３】
そして、呼出元の端末装置Ａ並びに呼出先の端末装置Ｂにおいては、マイクロホン２０ａで集音され符号化／復号化部２２で符号化され変復調部２３で変調された音声信号を、主装置１から自己に割り当てられたタイムスロットＴＳ１又はＴＳ２に格納して信号線Ｌｓを介して送信し、相手に割り当てられたタイムスロットＴＳ２又はＴＳ１に格納されている音声信号を取り込んで変復調部２３で復調するとともに音声データを符号化／復号化部２２で復号化してスピーカ２１ａから相手の通話音声を鳴動させる。このようにして２台の端末装置Ａ，Ｂが互いに別のタイムスロットＴＳ１，ＴＳ２を使って音声信号を送受信することで個別通話が可能となる。ここで、個別通話においては２つのタイムスロットが占有されることになるから、合計ｎ個のタイムスロットが存在する場合は、最大でｎ／２組の端末装置２が同時に個別通話できることになる。
【００２４】
上述のように本実施形態によれば、音声信号の送信に先立って送信元の端末装置Ａから送信先の端末装置Ｂに対して試験信号が送信され、送信先の端末装置Ｂで試験信号の伝送エラーの発生数を伝送エラーカウント手段たる制御部２５でカウントするとともにカウントされた伝送エラーの発生数と予め用意されている符号化方式、変調方式、タイムスロットの割り当てとの対応表に基づいて伝送エラーの発生数を減少させる最適な条件を選択し且つ選択した条件を呼出元の端末装置Ａに通知し、呼出元の端末装置Ａの制御部２５が、端末装置Ｂから通知される条件に従って符号化方式、変調方式、タイムスロットの割り当ての少なくとも何れか一つを変更するので、設置場所や設置環境等に関わらずに伝送エラーの発生が抑制できるものである。
【００２５】
（実施形態２）
本実施形態の構成は実施形態１と共通であるから、共通の構成要素には同一の符号を付して図示並びに説明は省略する。
【００２６】
本実施形態は、施工後のシステム起動時に主装置１並びに各端末装置２から相互に試験信号を送受信し、主装置１並びに各端末装置２にて受信した試験信号の伝送エラーの発生数をカウントするとともにカウントされた伝送エラーの発生数と予め用意されている符号化方式、変調方式、タイムスロットの割り当てとの対応表に基づいて伝送エラーの発生数を減少させる最適な条件を選択し、さらに選択した条件をそれぞれ試験信号の送信元である各端末装置２並びに主装置１に通知し、端末装置２にて最適条件に応じた符号化方式並びに変調方式に設定し、主装置１にて最適条件に応じたタイムスロットＴＳｉの割り当てを行う点に特徴がある。なお、主装置１においては、制御部１０が試験信号の生成、伝送エラーの発生数のカウント、最適条件の選択及び通知を行っている。
【００２７】
次に、図５を参照して３台の端末装置２間で多対多の通話（一斉通話）を行う場合における本実施形態の動作を説明する。なお、以下では端末装置Ａと端末装置Ｂと端末装置Ｃの３台が一斉通話を行う場合を例示する。また、上述の最適条件の選択並びに通知の処理は既に完了しており、主装置１及び端末装置Ａ，Ｂ，Ｃでは通知された最適条件をメモリ（図示せず）に記憶しているものとする。
【００２８】
まず、端末装置Ａにおいて一斉呼出釦（図示せず）が操作されると制御部２５が他の端末装置Ｂ，Ｃを一斉に呼び出すための一斉呼出要求を生成して制御信号送信部２６に与え、制御信号送信部２６が一斉呼出要求と自己の識別符号を制御信号により多重分離部２７を介して信号線Ｌｓに送出する。
【００２９】
一方、主装置１では、信号線Ｌｓを介して伝送される制御信号を制御信号送受信部１１で受信し、受信した制御信号に含まれる一斉呼出要求と呼出元の識別符号を制御部１０に渡す。制御部１０は一斉呼出先の識別符号をそれぞれ宛先として一斉呼出要求を含む制御信号を制御信号送受信部１１により送信させる。
【００３０】
一斉呼出先の端末装置Ｂ，Ｃの制御信号送受信部２６が主装置１から送信された制御信号を受信し、受信した制御信号に含まれる一斉呼出要求を制御部２５に渡すと、制御部２５はスピーカ２１ａより報知音（呼出音）を鳴動させる。そして、端末装置Ｂ，Ｃにおいて応答釦（図示せず）が操作されると、制御部２５では一斉通話することを了解した旨の肯定応答を生成して制御信号送信部２６に与え、制御信号送信部２６が肯定応答と自己の識別符号を制御信号により多重分離部２７を介してそれぞれ信号線Ｌｓに送出する。
【００３１】
主装置１においては、信号線Ｌｓを介して伝送される制御信号を制御信号送受信部１１で受信し、受信した制御信号に含まれる肯定応答、一斉呼出先の識別符号を制御部１０に渡し、制御部１０は呼出元の識別符号を宛先として呼確立通知を含む制御信号を制御信号送受信部１１により送信させる。
【００３２】
各端末装置Ａ，Ｂ，Ｃでは、制御部２５がメモリに記憶している相手の端末装置２毎の最適条件のうちで最も伝送エラーの発生数が多かった端末装置２に対する最適条件を選択し、当該最適条件に応じて符号化／復号化部２２の符号化方式並びに変復調部２３の変調方式を適宜変更する。
【００３３】
主装置１では、制御部１０がメモリに記憶している端末装置２毎のタイムスロットＴＳｉの割り当てに対する最適条件に応じて各端末装置Ａ，Ｂ，Ｃに対してそれぞれが音声信号を格納するタイムスロットＴＳｉの割り当てを通知するための制御信号を制御信号送受信部１１より送信させた後、変調部１２から同期信号ＳＹを出力させて信号線Ｌｓに送出させる。ここで、一斉通話の場合には各端末装置Ａ，Ｂ，Ｃ毎に送話（送信）用のタイムスロットＴＳ１，ＴＳ２，ＴＳ３と受話（受信）用のタイムスロットＴＳ４，ＴＳ５，ＴＳ６がそれぞれ割り当てられる。
【００３４】
そして、各端末装置Ａ，Ｂ，Ｃにおいて、制御部２５がマイクロホンアンプ２０ｂ、スピーカアンプ２１ｂ、Ａ／Ｄ変換器２０ｃ、Ｄ／Ａ変換器２１ｃ、符号化／復号化部２２、変復調部２３、送信アンプ２４ａ、受信アンプ２４ｂを起動し、マイクロホン２０ａで集音され符号化／復号化部２２で符号化され変復調部２３で変調された音声信号を、主装置１から自己に割り当てられた送話用のタイムスロットＴＳ１，ＴＳ２，ＴＳ３に格納して信号線Ｌｓを介して送信する。ここで主装置１においては、送信用のタイムスロットＴＳ１，ＴＳ２，ＴＳ３に格納された音声信号を制御部１０に取り込み、制御部１０で端末装置Ｂ，Ｃから送信された音声データを結合した音声信号を生成して端末装置Ａに割り当てた受信用のタイムスロットＴＳ４に格納するとともに、端末装置Ａ，Ｃから送信された音声データを結合した音声信号を生成して端末装置Ｂに割り当てた受信用のタイムスロットＴＳ５に格納し、さらに端末装置Ａ，Ｂから送信された音声データを結合した音声信号を生成して端末装置Ｃに割り当てた受信用のタイムスロットＴＳ６に格納する。
【００３５】
したがって、端末装置Ａ，Ｂ，Ｃでは受信用のタイムスロットＴＳ４，ＴＳ５，ＴＳ６に格納されている音声信号を取り込んで変復調部２３で復調するとともに音声データを符号化／復号化部２２で復号化してスピーカ２１ａから鳴動させることにより、端末装置Ａでは他の端末装置Ｂ，Ｃから送信された音声が聞こえ、端末装置Ｂでは他の端末装置Ａ，Ｃから送信された音声が聞こえるとともに、端末装置Ｃでは他の端末装置Ａ，Ｂから送信された音声が聞こえるために一斉通話が可能となる。
【００３６】
上述のように本実施形態においても実施形態１と同様に設置場所や設置環境等に関わらずに伝送エラーの発生が抑制でき、しかも、複数台の端末装置２間で一斉に通話する一斉通話の場合においては最悪の条件に合わせて符号化方式、変調方式、タイムスロットＴＳｉの割り当てを選択するので、一斉通話における伝送エラーの発生を確実に抑制できる。なお、本実施形態では一斉通話の場合について説明したが、個別通話の場合には、実施形態１と同様の手順で呼確立処理が行われ、通話を行う２台の端末装置２の制御部２５がメモリに格納されている最適条件のうちから相手の端末装置２に対応した最適条件を選択する点のみが実施形態１と異なるため、詳細な説明は省略する。
【００３７】
ここで、図６に示すようにゲート装置１０３の接続口に対して機能モジュール１０８のコネクタを接続するだけで機能モジュール１０８の電力路と、情報路とを同時に確保でき、しかも機能モジュール１０８をどのゲート装置１０３にも接続できるレイアウトフリーで施工性に優れた配線システムがある。かかる配線システムは、建物内の適所において埋め込み配設している１乃至複数のスイッチボックス１０２を設け、各スイッチボックス１０２間に壁面内に先行配線した電力線１１０と、情報線１１１とを送り配線するとともに、始端のスイッチボックス１０２に対しては、配線盤１０１内に引き込まれた主幹ブレーカＭＢと分岐ブレーカＢＢとを介して屋内に引き込まれた力線１１０と、外部のインターネット網ＮＴにゲートウェイ１２０（ルータ、ハブ内蔵）を介して接続されている情報線１１１とが、接続されている。そして、このような配線システムに本発明に係る音声伝送システムを組み込むことも可能である。
【図面の簡単な説明】
【００３８】
【図１】本発明の実施形態１を示すシステム構成図である。
【図２】（ａ）は同上における同期信号の説明図、（ｂ）は同上における音声信号の説明図である。
【図３】同上における同期信号並びにタイムスロットのタイムチャートである。
【図４】同上における個別通話時の動作説明図である。
【図５】本発明の実施形態２における一斉通話時の動作説明図である。
【図６】同上を組み込む配線システムのシステム構成図である。
【符号の説明】
【００３９】
１  主装置
２  端末装置
２０ａ  マイクロホン
２１ａ  スピーカ
２２  符号化／復号化部
２３  変復調部
２５  制御部
２６  制御信号送受信部
２７  分離多重部
ＳＹ  同期信号
Ｌｓ  信号線
【図１】
2007174579.tif 000003
【図２】
2007174579.tif 000004
【図３】
2007174579.tif 000005
【図４】
2007174579.tif 000006
【図５】
2007174579.tif 000007
【図６】
2007174579.tif 000008